(57)【特許請求の範囲】
【請求項１】
ケーブル線路の端部に標定用パルスを注入し、前記標定用パルスの反射パルスの波形に基づいて事故点を標定するケーブル線路の事故点標定装置において、
前記事故点に抑制素子を介して直流電圧を印加する続流用直流電源と、
前記事故点において前記直流電圧に重畳して印加されることにより、前記事故点でアーク放電を起こさせ続流しながら事故点を低抵抗化させるインパルス電圧を抑制素子を介して発生する高圧直流電源と、
前記事故点が低抵抗化している間に前記端部に前記標定用パルスを注入する標定用パルス発生部とを有し、
前記抑制素子は、前記事故点、前記端部および線路分岐部からの反射パルス以外の反射パルスを抑制することを特徴とするケーブル線路の事故点標定装置。
【請求項２】
前記標定用パルス発生部は、前記インパルス電圧を印加してから所定の時間経過した後に前記端部に前記標定用パルスを注入することを特徴とする請求項１記載のケーブル線路の事故点標定装置。
【請求項３】
前記抑制素子は、リアクタンスを備えたことを特徴とする請求項１記載のケーブル線路の事故点標定装置。
【請求項４】
前記抑制素子は、リアクタンスと、ダイオードとを備えたことを特徴とする請求項１記載のケーブル線路の事故点標定装置。
【発明の詳細な説明】
【０００１】
【発明の属する技術分野】
本発明は、ケーブル線路の事故点標定装置に関し、特に、反射パルスを高精度に検出することが可能なケーブル線路の事故点標定装置に関する。
【０００２】
【従来の技術】
従来のケーブル線路の事故点標定方法として、例えば、通電が停止したケーブル線路の端部からパルスを注入し、事故点、線路端部および線路分岐部等のインピーダンス変化点におけるパルスの透過・反射による波形をパルス注入点において観測し、得られた波形に基づいて事故点を標定する方法が知られている。
【０００３】
図４は、その従来の事故点標定方法を示す。パルス発生装置２３からパルスをケーブル端末部２ａに注入し、その反射パルスをセンサ３で検出し、センサ３の検出信号を信号変換器２４によってデジタル信号に変換し、処理装置２５に入力する。処理装置２５は、ケーブル線路１の事故発生相における反射パルスの波形と健全相における反射パルスの波形の差分波形に現れる事故点の波形に基づいて、ケーブル端末部２ａから事故点２２までの距離を算出し、本線１、および分岐接続部２０によって本線１に接続された分岐線２１における距離の対応位置から本線１か分岐線２１の事故を判別するものである。
【０００４】
しかし、この方法によると、事故後に事故点のインピーダンスが高くなると、パルスを注入する上述した標定方法では、インピーダンスが高いために反射波が生じないことから、標定が難しくなるという欠点がある。
【０００５】
そこで、このような欠点に鑑みてなされた従来の事故点標定方法として、事故点を焼成等の手法により低抵抗化させた後、パルスを注入しその反射波で標定する方法が提案されている。この方法によれば、事故点のインピーダンスが低下してからパルスを注入するので、確実に反射波を得ることができる。
【０００６】
【発明が解決しようとする課題】
しかし、従来のケーブル線路の事故点標定方法によると、事故点を焼成させて低抵抗化させる焼成装置と、標定用パルスを発生させ反射パルスを検出する検出装置を線路端部に設置する場合は、焼成装置の線路接続部のインピーダンスが標定用パルスの注入や反射波に影響を及ぼし、事故点、線路端部、線路分岐部からの反射波が明確に検出できなくなり、標定誤差の原因になる場合がある。
【０００７】
従って、本発明の目的は、反射パルスを高精度に検出することが可能なケーブル線路の事故点標定装置を提供することにある。
【０００８】
【課題を解決するための手段】
本発明は、上記目的を達成するため、ケーブル線路の端部に標定用パルスを注入し、前記標定用パルスの反射パルスの波形に基づいて事故点を標定するケーブル線路の事故点標定装置において、前記事故点に抑制素子を介して直流電圧を印加する続流用直流電源と、前記事故点において前記直流電圧に重畳して印加されることにより、前記事故点でアーク放電を起こさせ続流しながら事故点を低抵抗化させるインパルス電圧を抑制素子を介して発生する高圧直流電源と、前記事故点が低抵抗化している間に前記端部に前記標定用パルスを注入する標定用パルス発生部とを有し、前記抑制素子は、前記事故点、前記端部および線路分岐部からの反射パルス以外の反射パルスを抑制することを特徴とするケーブル線路の事故点標定装置を提供する。この構成によれば、高圧直流電源および続流用直流電源の２つの電源と標定用パルス発生部との間に設けた抑制素子により標定用パルスを注入した後の事故点、端部および線路分岐部からの反射パルス以外の反射波を抑制できるので、反射パルスを高精度に検出することが可能となる。
【０００９】
【発明の実施の形態】
図１は、本発明の第１の実施の形態に係るケーブル線路の事故点標定装置を示す。この事故点標定装置は、高圧直流電源５から充電抵抗６を介して電荷を蓄える充電コンデンサ７と、充電コンデンサ７に蓄えられた電荷に基づいて事故相のケーブル線路１のケーブル端末部２ａに波形調整用抵抗９およびブロッキングコンデンサ１０を介してインパルス電圧を印加するスイッチ８と、ケーブル端末部２ａにブロッキングコイル１１ａ，１１ｂ、フィルタ用コンデンサ１２およびダイオード１３ａを介して直流電圧を印加する続流用直流電源１４と、ケーブル端末部２ａにダイオード１３ｂを介して事故点標定用パルスを注入する標定用パルス発生部１５と、標定用パルスの反射パルスを検出するセンサ３と、センサ３の検出信号に基づいて事故点の標定を行う標定制御部４とを備える。なお、同図において破線は標定制御部４の制御線を示す。
【００１０】
図２は、この装置の動作を説明するための直流電圧、インパルス電圧および標定用パルスの波形例を示す。標定制御部４は、続流用直流電源１４に制御信号を送信して続流用直流電源１４から直流電圧を発生させた後、高圧直流電源５およびスイッチ８に制御信号を送信してインパルス電圧を発生させて直流電圧に重畳させ、これをケーブル線路１のケーブル端部２ａに印加し、事故点でアーク放電を起こさせて事故点を低抵抗化させる。事故点では、放電によって続流し、事故点のインピーダンスがここでは、事故点抵抗（数Ω）となる。標定制御部４は、続流を開始してから電流が安定したｔ1時間後に標定用パルス発生部１５に制御信号を送信して標定パルス発生部１５からダイオード１３ｂを介しケーブル端末部２ａに標定用パルスを注入させ、センサ３により事故点からの反射パルスを検出し、ケーブル端末部２ａから事故点までの距離を標定する。標定用パルス注入時から直流電源が停止するまでの時間ｔ2は、最小時間で上述した反射波が観測されるまでの時間となる。
【００１１】
この第１の実施の形態によれば、続流用直流電源１４と標定用パルス発生部１５との間にリアクタンスとしてのブロッキングコイル１１ａ，１１ｂを設けて高インピーダンスにしているので、続流用直流電源１４に標定用パルスが進入した場合でも、そこからの反射の発生を防ぎ、事故点、ケーブル端末部、および線路分岐部からの反射パルスを明確に検出し、高精度の標定を行うことができる。また、リアクタンスの大きさによっては、焼成させるための続流が阻止されてしまう可能性があるが、リアクタンスの前段および後段に高周波特性の低いダイオード１３ａ，１３ｂを設けることにより、標定用パルスの反射波（高周波）の進入を防ぐことができ、かつ、続流（低周波）を効果的に行うことができる。また、スイッチ８の出力側に波形調整用抵抗９を挿入しているので、スイッチ８からの反射波を抑制することができる。
【００１２】
なお、ケーブル線路の事故発生相における反射パルスの波形と健全相における反射パルスの波形の差分波形に現れる事故点の波形からケーブル線路の端部から事故点ｍでの距離を算出し、かつ本線および分岐線における距離の対応位置から本線か分岐線の事故を標定してもよい。
【００１３】
図３は、本発明の第２の実施の形態に係るケーブル線路の事故点標定装置を示す。この事故点標定装置は、高圧直流電源５から充電抵抗６を介して電荷を蓄える充電コンデンサ７と、充電コンデンサ７に蓄えられた電荷に基づいて事故相のケーブル線路１のケーブル端末部２ａに波形調整用抵抗９を介してインパルス電圧を印加するスイッチ８と、ケーブル端末部２ａにブロッキング素子としてのダイオード１３ｃ，１３ｄおよびブロッキングコイル１１を介して直流電圧を印加する続流用直流電源１４と、ケーブル端末部２ａにスイッチ１６を介して事故標定用パルスを注入する標定用パルス発生部１５と、標定用パルスの反射パルスを検出するセンサ３と、センサ３の検出信号に基づいて事故点の標定を行う標定制御部とを備える。なお、同図において破線は標定制御部４の制御線を示す。
【００１４】
この第２の実施の形態によれば、続流用直流電源１４と標定用パルス発生部１５との間にリアクタンスとしてのダイオード１３ｃ，１３ｄおよびブロッキングコイル１１を設けて高インピーダンスにしているので、続流用直流電源１４に標定用パルスが進入した場合でも、そこからの反射の発生を防ぎ、事故点、ケーブル端末部、および線路分岐部からの反射パルスを明確に検出し、高精度の標定を行うことができる。
【００１５】
【発明の効果】
以上説明した通り、本発明のケーブル線路の事故点標定装置によれば、高圧直流電源および続流用直流電源の２つの電源と標定用パルス発生部との間に設けた抑制素子により標定用パルスを注入した後の事故点、端部および線路分岐部からの反射パルス以外の反射波を抑制できるので、反射パルスを高精度に検出することが可能となり、これにより、高精度な標定を行うことが可能となる。
【図面の簡単な説明】
【図１】本発明の第１の実施の形態に係る事故点標定装置を示す回路図である。
【図２】本発明の第１の実施の形態に係る事故点標定装置の動作を説明するための直流電圧、インパルス電圧および標定用パルスの波形例を示す図である。
【図３】本発明の第２の実施の形態に係る事故点標定装置を示す回路図である。
【図４】従来の事故点標定方法を示す図である。
【符号の説明】
１  ケーブル線路
２ａ，２ｂ  ケーブル端末部
３  センサ
４  標定制御部
５  高圧直流電源
６  充電抵抗
７  充電コンデンサ
８  スイッチ
９  波形調整用抵抗
１０  ブロッキングコンデンサ
１１，１１ａ，１１ｂ  ブロッキングコイル
１２  フィルタ用コンデンサ
１３ａ，１３ｂ，１３ｃ，１３ｄ  ダイオード
１４  続流用直流電源
１５  標定用パルス発生部
１６  スイッチ
２０  分岐接続部
２１  分岐線
２２  事故点
２３  パルス発生装置
２４  信号変換器
２５  処理装置
【図１】
0003921059.tif 000002
【図２】
0003921059.tif 000003
【図３】
0003921059.tif 000004
【図４】
0003921059.tif 000005